(57)【要約】【課題】温水器本体との通信搬送波の周波数とリモートコントローラ間の音声信号搬送波の実際の周波数とがたとえ重なっても、該重なりを解消し易い温水器用リモートコントローラを得ること。【解決手段】湯を貯える温水器本体１を備えた温水器５０に用いられ、温水器本体と単一周波数の通信搬送波により通信する機能と周波数変調方式のインターホン機能とを有する温水器用リモートコントローラ３０Ａ，３０Ｂを構成するにあたり、温水器本体への通信搬送波の周波数を、インターホン機能により受話するときの音声搬送波の実際の周波数帯域外の周波数に再設定可能にする。【選択図】        図１
2010010779.tif 000002
【特許請求の範囲】
【請求項１】
湯を貯える温水器本体と単一周波数の通信搬送波により通信する機能と周波数変調方式のインターホン機能とを有する温水器用リモートコントローラであって、
前記温水器本体への通信搬送波の周波数を、前記インターホン機能により受話するときの音声搬送波の実際の周波数帯域外の周波数に再設定可能であることを特徴とする温水器用リモートコントローラ。
【請求項２】
前記通信搬送波の周波数を設定値に制御する通信制御部と、
前記設定値を設定し直す周波数再設定部と、
を有することを特徴とする請求項１に記載の温水器用リモートコントローラ。
【請求項３】
湯を貯える温水器本体と、該温水器本体と単一周波数の通信搬送波により通信する機能と周波数変調方式のインターホン機能とを有する複数の温水器用リモートコントローラとを備えた温水器であって、
前記複数の温水器用リモートコントローラの各々は、前記温水器本体への通信搬送波の周波数を、前記インターホン機能により受話するときの音声搬送波の実際の周波数帯域外の周波数に再設定可能であることを特徴とする温水器。
【請求項４】
前記複数の温水器用リモートコントローラの各々は、
前記通信搬送波の周波数を設定値に制御する通信制御部と、
前記設定値を再設定する周波数再設定部と、
を有する、
ことを特徴とする請求項３に記載の温水器。
【発明の詳細な説明】
【技術分野】
【０００１】
本発明は、単一周波数の通信搬送波で温水器の温水器本体と通信する機能と周波数変調方式のインターホン機能とを有する温水器用リモートコントローラ、および該温水器用リモートコントローラを備えた温水器に関するものである。
【背景技術】
【０００２】
水を湯に沸き上げて貯える温水器本体と、温水器本体への指令の入力や温水器本体からの応答信号、情報の受信等に用いられるリモートコントローラとを備えた温水器では、通常、温水器本体が室外に設置され、リモートコントローラが室内の所望の給湯先、例えば浴室や台所等に設置される。このタイプの温水器でのリモートコントローラへの電源供給は、例えば特許文献１に記載されているように、温水器本体とリモートコントローラとを繋ぐ電力線を利用して温水器本体側から行われる。また、温水器本体とリモートコントローラとの間での通信は、上記の電力線を利用して単一周波数の搬送波により行われる。通常、上記通信搬送波の周波数は製品間でばらつくが、個々の製品は当該ばらつきを許容できる仕様となっている。
【０００３】
今日では、入浴中の事故等を考慮して、インターホン機能を有する複数台のリモートコントローラを備えた温水器が開発されている。該温水器では、例えば特許文献１に記載されているように、浴室に設置したリモートコントローラと台所に設置したリモートコントローラ等、リモートコントローラ間で送受話が可能である。リモートコントローラ間の送受話は、上記の電力線を利用して、混信を防ぐために通話方向毎に異なる周波数の音声信号搬送波を用いて周波数変調（ＦＭ）方式により行われる。
【０００４】
温水器本体とリモートコントローラとの間の通信搬送波の周波数とリモートコントローラ間の音声信号搬送波の周波数とが重なると、温水器本体とリモートコントローラとの間の通信信号が悪影響を受けたり、リモートコントローラ間の送受話の再生音の音質が劣化したりする。このため、通信搬送波の周波数と音声信号搬送波の周波数とは、通常、部品の製造誤差等も考慮して、お互いが重ならないように予め選定される。ＦＭ方式による音声信号搬送波の周波数は、送受話可能な最大音声（最大音圧レベル）と最小音声（最小音圧レベル）とを予め規定しておくことにより、どの程度の範囲で変化するか予め推定可能である。
【０００５】
【特許文献１】特開２００４−１０４２９０号公報
【発明の開示】
【発明が解決しようとする課題】
【０００６】
しかしながら、音声信号搬送波の実際の周波数は、例えばリモートコントローラの筐体へのマイクの取付けばらつきのように、その度合いを予め算出しておくことが困難なばらつきの影響も受け、設計上の予測範囲から外れることがある。音声信号搬送波の実際の周波数が設計上の予測範囲から外れて通信搬送波の周波数と重なると、温水器本体とリモートコントローラとの間の通信信号に悪影響が及んだり、リモートコントローラ間の送受話の音質が低下したりすることがある。
【０００７】
本発明は上記の事情に鑑みてなされたものであり、温水器本体との通信搬送波の周波数とリモートコントローラ間の音声信号搬送波の実際の周波数とがたとえ重なっても、該重なりを解消し易い温水器用リモートコントローラ、およびこれを用いた温水器を得ることを目的とする。
【課題を解決するための手段】
【０００８】
上記の目的を達成する本発明の温水器用リモートコントローラは、湯を貯える温水器本体と単一周波数の通信搬送波により通信する機能と周波数変調方式のインターホン機能とを有する温水器用リモートコントローラであって、温水器本体への通信搬送波の周波数を、インターホン機能により受話するときの音声搬送波の実際の周波数帯域外の周波数に再設定可能であることを特徴とするものである。
【０００９】
また、上記の目的を達成する本発明の温水器は、湯を貯える温水器本体と、温水器本体と単一周波数の通信搬送波により通信する機能と周波数変調方式のインターホン機能とを有する複数の温水器用リモートコントローラとを備えた温水器であって、複数の温水器用リモートコントローラの各々は、温水器本体への通信搬送波の周波数を、インターホン機能により受話するときの音声搬送波の実際の周波数帯域外の周波数に再設定可能であることを特徴とするものである。
【発明の効果】
【００１０】
本発明の温水器用リモートコントローラでは、通信搬送波の周波数を音声搬送波の実際の周波数帯域外の周波数に再設定可能であるので、これらの周波数が重なることによって温水器本体との通信信号に悪影響が及んだり、リモートコントローラ間での送受話の際の音質が低下したりすることを容易に防止することができる。
【発明を実施するための最良の形態】
【００１１】
以下、本発明の温水器用リモートコントローラおよび温水器それぞれの実施の形態について、図面を参照して詳細に説明する。なお、本発明は以下に説明する実施の形態に限定されるものではない。
【００１２】
図１は、本発明の温水器および本発明の温水器用リモートコントローラそれぞれの一例を概略的に示す機能ブロック図である。同図に示す温水器５０は、水を湯に沸き上げて貯える温水器本体１と、インターホン機能を有する２台の温水器用リモートコントローラ３０Ａ，３０Ｂとを備えている。温水器本体１は、例えば熱源機、貯湯タンク、給水管路、給湯管路、および制御装置（いずれも図示せず）を備え、制御装置による制御の下に水を湯に沸き上げて貯湯タンクに貯留し、ここから所望の給湯先に給湯する。熱源機としては、例えばヒートポンプユニット、貯湯タンク内に配置されたヒータ等が用いられる。
【００１３】
各温水器用リモートコントローラ３０Ａ，３０Ｂは、電力線５により温水器本体１の制御装置に接続されて温水器本体１側から商用電源の供給を受けると共に、単一周波数の通信搬送波による上記制御装置への指令の入力、および上記制御装置からの応答信号や情報の受信を電力線５を利用して行う。また、温水器用リモートコントローラ３０Ａ，３０Ｂは、電力線５を利用して相互に送受話を行う機能を有する。すなわち、各温水器用リモートコントローラ３０Ａ，３０Ｂは、温水器本体１の入力装置として機能するインターホン機能付きのリモートコントローラである。温水器用リモートコントローラ３０Ａは浴室に設置されており（以下、「浴室リモートコントローラ３０Ａ」という）、温水器用リモートコントローラ３０Ｂは台所に設置されている（以下、「台所リモートコントローラ３０Ｂ」という）。
【００１４】
浴室リモートコントローラ３０Ａは、筐体１０と、該筐体１０に収容された周波数混合／分離部１１、通信送受信部１３、通信制御部１５、マイク１７、周波数変調部１９、周波数復調部２１、スピーカ２３、受話周波数検出部２５、入出力部２７、周波数再設定部２９、および図示を省略した電源回路部を有している。なお、図１においては、便宜上、筐体１０を一点鎖線で表している。
【００１５】
上記の周波数混合／分離部１１は、電力線５に接続されて、温水器本体１の制御装置から送出されて電力線５を伝搬してくる通信搬送波を商用電源から分離し、抽出すると共に、台所リモートコントローラ３０Ｂから送出されて電力線５を伝搬してくる音声信号搬送波を商用電源から分離し、抽出する。また、通信送受信部１３から送られてくる通信搬送波や周波数変調部１９から送られてくる音声信号搬送波を電力線５に出力して、商用電源に信号重畳する。
【００１６】
通信送受信部１３は、周波数混合／分離部１１が分離し、抽出した通信搬送波を復調して通信制御部１５に送る。また、通信制御部１５による制御の下に動作して所定周波数の通信搬送波を作り、周波数混合／分離部１１に送る。
【００１７】
通信制御部１５は、制御部１５ａと記憶部１５ｂとを有している。制御部１５ａは、記憶部１５ｂに格納された制御プログラムや情報に従って通信送受信部１３の動作を制御する。この制御部１５ａは、通信送受信部１３が通信搬送波を復調して所定の信号を送ってきたときには該信号に応じた所定の処理、例えば入出力部２７への温水器本体１の運転状況の表示指示等を行い、入出力部２７から指令が入力されたときには該指令に応じた所定の処理、例えば通信送受信部１３への単一周波数の通信搬送波の作成指示等を行う。
【００１８】
一方、記憶部１５ｂには、上記の制御プログラムの他に、入出力部２７から入力された沸上げ運転開始指示等の指令や入出力部２７から入力された沸上げ運転開始時刻等の情報等が格納される。この記憶部１５ｂは書換可能型記憶素子（図示せず）を含み、該書換可能型記憶素子には、温水器本体１への通信搬送波の周波数を指定するプログラムまたは情報が格納されている。制御部１５ａは、通信送受信部１３が作成する通信搬送波の周波数を上記書換可能型記憶素子に格納されているプログラムまたは情報で指定される設定値に制御する。
【００１９】
マイク１７は音声を電気信号（音声信号）に変換して周波数変調部１９に送り、周波数変調部１９はマイク１７から送られてきた音声信号を周波数変調して所定の音声信号搬送波を作り、周波数混合／分離部１１に送る。
【００２０】
周波数復調部２１は、台所リモートコントローラ３０Ｂから送出されて周波数混合／分離部１１で分離、抽出された音声信号搬送波を復調して所定の電気信号（音声信号）をスピーカ２３に送り、スピーカ２３は、周波数復調部２１から送られてきた音声信号を基に音声を再生する。また、受話周波数検出部２５は、台所リモートコントローラ３０Ｂから送出されて周波数混合／分離部１１で分離、抽出された音声信号搬送波の周波数を検出して入出力部２７に送る。
【００２１】
入出力部２７は図示を省略した入力部、出力端子、および表示部を有し、通信制御部１５に対する入出力装置、インターホン機能を使用する際の機能選択装置、後述する周波数再設定時のインタフェース装置等として機能する。上記の入力部は例えば入力キーおよび入力端子を含んで構成され、表示部は例えば液晶表示パネルや表示ランプを含んで構成される。
【００２２】
周波数再設定部２９は、通信制御部１５および入出力部２７に接続されており、入出力部２７の上記入力端子に接続された携行型コンピュータ等の周波数再設定用機器から通信搬送波の周波数を再設定する周波数再設定指示があったときに、前述の書換可能型記憶素子にアクセスして通信搬送波の周波数を指定するプログラムまたは情報を書き換える。結果として、通信制御部１５が通信搬送波の周波数を設定値に制御する際の当該設定値が設定し直される。
【００２３】
一方、図１に示す台所リモートコントローラ３０Ｂは、送話の際に使用する音声搬送波の周波数帯域を除き、上述した浴室リモートコントローラ３０Ａと互いに同じ構造および機能を有している。台所リモートコントローラ３０Ｂの構成要素については、対応する浴室リモートコントローラ３０Ａでの構成要素と同じ参照符号を付して、その説明を省略する。なお、温水器５０では、温水器本体１とリモートコントローラ３０Ａ，３０Ｂとの間の通信搬送波の周波数を検出するために、電力線５に通信周波数検出部４０が接続されている。
【００２４】
上述した温水器本体１、各リモートコントローラ３０Ａ，３０Ｂ、および通信周波数検出部４０を備えた温水器５０では、従来の温水器と同様に、温水器本体１とリモートコントローラ３０Ａ，３０Ｂとが電力線５を介して単一周波数の通信搬送波により通信を行う。温水器本体１の制御装置から送出された通信搬送波は電力線５を伝搬し、周波数混合／分離部１１で商用電源から分離、抽出された後に通信送受信部１３で受信され、ここから所定の通信信号が通信制御部１５に入力される。また、通信制御部１５の制御の下に通信送受信部１３が作成した通信搬送波は、周波数混合／分離部１１に送られてここから電力線５に信号重畳される。
【００２５】
浴室リモートコントローラ３０Ａと台所リモートコントローラ３０Ｂとの間での送受話も、従来の温水器と同様に電力線５を介して行われる。音声はマイク１７により電気信号（音声信号）に変換され、周波数変調部１９により音声信号搬送波に変換されて周波数混合／分離部１１に送られ、ここから電力線５に信号重畳される。また、電力線５を伝搬してきた音声信号搬送波は、周波数混合／分離部１１で商用電源から分離、抽出された後に周波数復調部２１により所定の電気信号（音声信号）に変換されてスピーカ２３に伝えられ、該スピーカ２３により音声が再生される。
【００２６】
このように動作する温水器５０の設計段階では、浴室リモートコントローラ３０Ａと台所リモートコントローラ３０Ｂとの間で送受話可能な最大音声（最大音圧レベル）と最小音声（最小音圧レベル）とが規定され、リモートコントローラ３０Ａ，３０Ｂ間での音声信号搬送波の周波数帯域が規定される。そして、この周波数帯域と重ならないように、温水器本体１と各リモートコントローラ３０Ａ，３０Ｂとの間での通信搬送波の周波数が選定される。
【００２７】
しかしながら、設置後の温水器５０では、筐体１０へのマイク１７の取付けばらつき等によりリモートコントローラ３０Ａ，３０Ｂ間での音声信号搬送波の実際の周波数帯域が設計値からずれて、温水器本体１とリモートコントローラ３０Ａ，３０Ｂとの間の通信搬送波の周波数と上記音声信号搬送波の実際の周波数帯域とが互いに重なってしまうことがある。
【００２８】
このため、温水器５０では、当該重なりを解消することができるように、浴室リモートコントローラ３０Ａおよび台所リモートコントローラ３０Ｂの各々に書換可能型記憶素子を含む記憶部１５ｂ、受話周波数検出部２５、入出力部２７、および周波数再設定部２９を設けて、上記通信搬送波の周波数を周波数再設定部２９により再設定可能にしている。
【００２９】
通信搬送波の周波数を周波数再設定部２９により再設定するにあたっては、まず、浴室リモートコントローラ３０Ａと台所リモートコントローラ３０Ｂとの間での音声信号搬送波の実際の周波数を受話周波数検出部２５により検出し、その検出結果を入出力部２７に出力させて、リモートコントローラ３０Ａ，３０Ｂ間での音声信号搬送波の実際の周波数帯域を求める。例えば、受話周波数検出部２５の検出結果が入出力部２７の表示部に表示されるように各リモートコントローラ３０Ａ，３０Ｂを構成し、当該表示に基づいてヒトが上記音声信号搬送波の実際の周波数帯域を求めるようにしてもよいし、受話周波数検出部２５の検出結果を出力する出力端子を入出力部２７に設け、この出力端子に所定の機器を接続して該機器が上記音声信号搬送波の実際の周波数帯域を自動的に求めて出力するように各リモートコントローラ３０Ａ，３０Ｂを構成してもよい。
【００３０】
音声信号搬送波の実際の周波数帯域が温水器本体１との通信搬送波の周波数と重なっているリモートコントローラがあったときには、該リモートコントローラについて、温水器本体１への通信搬送波の周波数を指定するプログラムまたは情報を書き換えて、当該周波数を再設定する。このとき、周波数再設定用機器、例えば携行型コンピュータが入出力部２７に接続される。そして、該周波数再設定用機器のオペレータが温水器本体１への通信搬送波の周波数を所定の周波数、すなわち上記音声信号搬送波の実際の周波数帯域外の周波数に再設定する指令を入力することで、周波数再設定用機器から周波数再設定部２９に周波数再設定の指令が入力される。
【００３１】
上記の指令を受けた周波数再設定部２９は通信制御部１５の記憶部１５ｂにアクセスし、該記憶部１５ｂ中の書換可能型記憶素子に格納されているプログラムまたは情報、すなわち通信搬送波の周波数を指定するプログラムまたは情報を書き換え、温水器本体１への通信搬送波の周波数を上記音声信号搬送波の実際の周波数帯域外の周波数に再設定する。以下、具体例を挙げて、温水器本体１への通信搬送波の周波数の再設定について詳述する。
【００３２】
図２は、温水器本体への通信搬送波の周波数を再設定する際の手順の一具体例を示すフローチャートである。同図に示す例では、ステップＳ１〜ステップＳ７を順次行って、図１に示した浴室リモートコントローラ３０Ａおよび台所リモートコントローラ３０Ｂの各々について、温水器本体１への通信搬送波の周波数を再設定する。各リモートコントローラ３０Ａ，３０Ｂの入出力部２７には、受話周波数検出部２５（図１参照）の検出結果を出力する出力端子が設けられているものとする。なお、図２においてはリモートコントローラを「リモコン」と略記している。
【００３３】
最初に行われるステップＳ１では、台所リモートコントローラ３０Ｂから浴室リモートコントローラ３０Ａへ標準的な音圧レベルで送話する際の音声信号搬送波の実際の周波数ＦKBを測定する。例えば台所リモートコントローラ３０Ｂのマイク１７に標準的な音圧レベルの合成音声を所定の機器から入力し、このときの音声信号搬送波の周波数を浴室リモートコントローラ３０Ａの受話周波数検出部２５により検出して、入出力部２７（図１参照）に出力させる。また、入出力部２７に設けられて受話周波数検出部２５の検出結果を出力する出力端子に、上記音声信号搬送波の実際の周波数や周波数帯域を自動的に求めて出力する周波数測定器を予め接続しておき、該周波数測定器により上記周波数ＦKBを求めることもできる。
【００３４】
次いで行われるステップＳ２では、台所リモートコントローラ３０Ｂから浴室リモートコントローラ３０Ａへの音声信号搬送波の実際の周波数帯域（変調周波数使用範囲）を求める。当該周波数帯域は、例えば、台所リモートコントローラ３０Ｂのマイク１７に仕様上の最小音声（最小音圧レベル）と最大音声（最大音圧レベル）とを順次入力し、各音声に対応する音声信号搬送波の実際の周波数を浴室リモートコントローラ３０Ａの受話周波数検出部２５により個別に検出して入出力部２７に出力させ、これらの検出結果から音声信号搬送波の周波数の変動幅ΔＦKBを求めた後、該変動幅ΔＦKBを用いて次式（ｉ）により算出することができる。
（ＦKB−ΔＦKB）≦ＦKB≦（ＦKB＋ΔＦKB）    ……（ｉ）
【００３５】
上記式（ｉ）中の（ＦKB−ΔＦKB）は、台所リモートコントローラ３０Ｂから浴室リモートコントローラ３０Ａへ送話する際の音声信号搬送波の最低周波数ＦKBＬであり、式（ｉ）中の（ＦKB＋ΔＦKB）は、台所リモートコントローラ３０Ｂから浴室リモートコントローラ３０Ａへ送話する際の音声信号搬送波の最高周波数ＦKBＨである。台所リモートコントローラ３０Ｂのマイク１７に仕様上の最小音声（最小音圧レベル）と最大音声（最大音圧レベル）とを順次入力し、前述の周波数測定器により音声信号搬送波の実際の周波数帯域を自動的に求めることも可能である。
【００３６】
次に行われるステップＳ３では、浴室リモートコントローラ３０Ａから台所リモートコントローラ３０Ｂへ標準的な音圧レベルで送話する際の音声信号搬送波の実際の周波数ＦBKを測定する。該周波数ＦBKの測定は、ステップＳ１での周波数ＦKBの測定と同じ要領で行われる。
【００３７】
ステップＳ４では、浴室リモートコントローラ３０Ａから台所リモートコントローラ３０Ｂへの音声信号搬送波に使用される実際の周波数帯域（変調周波数使用範囲）を算出する。当該周波数帯域は、例えば、ステップＳ２で変動幅ΔＦKBを求めた際と同じ要領で音声信号搬送波の周波数ＦBKの変動幅ΔＦBKを求め、該変動幅ΔＦBKを用いて次式（ii）により算出することができる。
（ＦBK−ΔＦBK）≦ＦBK≦（ＦBK＋ΔＦBK）    ……（ii）
【００３８】
上記式（ii）中の（ＦBK−ΔＦBK）は、浴室リモートコントローラ３０Ａから台所リモートコントローラ３０Ｂへ送話する際の音声信号搬送波の最低周波数ＦBKＬであり、式（ii）中の（ＦBK＋ΔＦBK）は、浴室リモートコントローラ３０Ａから台所リモートコントローラ３０Ｂへ送話する際の音声信号搬送波の最高周波数ＦBKＨである。浴室リモートコントローラ３０Ａのマイク１７に仕様上の最小音声（最小音圧レベル）と最大音声（最大音圧レベル）とを順次入力し、前述の周波数測定器により音声信号搬送波の実際の周波数帯域を自動的に求めることも可能である。
【００３９】
ステップＳ５では、ステップＳ２での算出結果とステップＳ４での算出結果とを基に、通信搬送波の最適周波数（最適通信搬送波周波数）を必要に応じて決定する。このとき、通信搬送波の最適周波数は、台所リモートコントローラ３０Ｂから浴室リモートコントローラ３０Ａへの音声信号搬送波の実際の周波数帯域（ＦKBＬ≦ＦKB≦ＦKBＨ）の範囲外で、かつ浴室リモートコントローラ３０Ａから台所リモートコントローラ３０Ｂへの音声信号搬送波の実際の周波数帯域（ＦBKＬ≦ＦBK≦ＦBKＨ）の範囲外となるように、例えば温水器５０の設置工事者により決定される。また、ステップＳ２，Ｓ４で前述の周波数測定器により音声信号搬送波の実際の周波数帯域を求めたときには、周波数測定器に所定の機器を接続して該機器により通信搬送波の最適周波数を自動的に求めることも可能である。
【００４０】
例えば、ステップＳ１で測定した周波数ＦKBが２３０ｋＨｚ、ステップＳ２で算出した変動幅ΔＦKBが±３０ｋＨｚ、ステップＳ３で測定した周波数ＦBKが３００ｋＨｚ、ステップＳ４で算出した変動幅ΔＦBKが±３５ｋＨｚであった場合、台所リモートコントローラ３０Ｂから浴室リモートコントローラ３０Ａへ送話する際の音声信号搬送波の実際の周波数帯域は２００ｋＨｚ〜２６０ｋＨｚ、浴室リモートコントローラ３０Ａから台所リモートコントローラ３０Ｂへ送話する際の音声信号搬送波の実際の周波数帯域は２６５ｋＨｚ〜３３５ｋＨｚとなる。したがって、この場合の通信搬送波の最適周波数は、２６０ｋＨｚよりも高く２６５ｋＨｚよりも低い周波数帯域の中から適宜選定される。なお、通信搬送波の周波数が音声信号搬送波の実際の周波数帯域と重なっていないときには、ステップＳ５〜Ｓ７は省略される。
【００４１】
ステップＳ６では、浴室リモートコントローラ３０Ａおよび台所リモートコントローラ３０Ｂの各々について、通信搬送波の周波数を指定するプログラムまたは情報を書き換える。具体的には、携行型コンピュータ等の周波数再設定用機器を浴室リモートコントローラ３０Ａの入出力部２７に接続し、温水器本体１への通信搬送波の周波数をステップＳ５で決定した周波数に再設定する指令を当該周波数再設定用機器から周波数再設定部２９に入力する。また、携行型コンピュータ等の周波数再設定用機器を台所リモートコントローラ３０Ｂの入出力部２７に接続し、温水器本体１への通信搬送波の周波数をステップＳ５で決定した周波数に再設定する指令を当該周波数再設定用機器から周波数再設定部２９に入力する。結果として、浴室リモートコントローラ３０Ａと温水器本体１（図１参照）との間の通信搬送波の周波数、および台所リモートコントローラ３０Ｂと温水器本体１との間の通信搬送波の周波数の各々が、ステップＳ５で決定した周波数に再設定される。
【００４２】
この後、ステップＳ７に進んで、浴室リモートコントローラ３０Ａから温水器本体１に適当な指令を送信し、このときの通信搬送波の周波数を通信周波数検出部４０で検出する。また、台所リモートコントローラ３０Ｂから温水器本体１に適当な指令を送信し、このときの通信搬送波の周波数を通信周波数検出部４０で検出する。これらの検出結果がステップＳ５で決定した周波数に一致しているか、または一致してはいないものの音声信号搬送波の実際の周波数帯域外にあるときには通信搬送波の周波数の再設定作業を終了し、音声信号搬送波に使用される実際の周波数帯域と重なっているときには上述のステップＳ５以降を繰り返す。
【００４３】
このように、温水器５０では、各リモートコントローラ３０Ａ，３０Ｂから温水器本体１への通信搬送波の周波数を各リモートコントローラ３０Ａ，３０Ｂで再設定可能であるので、たとえ設置工事で生じた取付けばらつき等によりリモートコントローラ３０Ａ，３０Ｂ間での音声信号搬送波の実際の周波数帯域が設計値からずれて温水器本体１への通信搬送波の周波数と重なったとしても、上記通信搬送波の周波数と音声信号搬送波の周波数との重なりを容易に解消することができる。したがって、これらの周波数が重なることによって温水器本体１と各リモートコントローラ３０Ａ，３０Ｂとの通信信号に悪影響が及んだり、リモートコントローラ３０Ａ，３０Ｂ間での送受話の際の音質が低下したりすることを容易に防止することができる。
【００４４】
以上、本発明の温水器用リモートコントローラおよび温水器について実施の形態を挙げて説明したが、前述のように、本発明は上述の形態に限定されるものではない。例えば、本発明の温水器用リモートコントローラは、インターホン機能と、温水器本体への通信搬送波の周波数を再設定する機能とを有しているものであれば基本的によく、その構成は適宜変更可能である。実施の形態で説明した周波数再設定用機器を用いることなく温水器本体１への通信搬送波の周波数を自動的に書き換える機能を周波数再設定部２９（図１参照）に付与することもできる。また、受話周波数検出部２５（図１参照）は、受話の際の音声信号搬送波の周波数を自ら検出するものであってもよいし、当該周波数を外部機器により検出するための端子であってもよい。
【００４５】
本発明の温水器は、本発明の温水器用リモートコントローラを２台以上備え、これらのリモートコントローラと温水器本体との通信、およびリモートコントローラ間での送受話を同じ通信線（電力線を含む）を用いて行うものであれば基本的によく、温水器用リモートコントローラ以外の構成、例えば湯の沸上げや給湯等に係る構成は適宜選定可能である。また、実施の形態で説明した通信周波数検出部４０（図１参照）は、必須の構成要素とすることもできるし任意の構成要素とすることもできる。本発明については、上述した以外にも種々の変形、修飾、組み合わせ等が可能である。
【産業上の利用可能性】
【００４６】
本発明の温水器用リモートコントローラおよび温水器は、家庭用または業務用の温水器用リモートコントローラおよび温水器として好適である。
【図面の簡単な説明】
【００４７】
【図１】本発明の温水器および温水器用リモートコントローラそれぞれの一例を概略的に示す機能ブロック図である。
【図２】図１に示した各リモートコントローラで温水器本体への通信搬送波の周波数を再設定する際の手順の一具体例を示すフローチャートである。
【符号の説明】
【００４８】
１  温水器本体
５  電力線
１１  周波数混合／分離部
１３  通信送受信部
１５  通信制御部
１７  マイク
１９  周波数変調部
２１  周波数復調部
２３  スピーカ
２５  受話周波数検出部
２７  入出力部
２９  周波数再設定部
３０Ａ  温水器用リモートコントローラ（浴室リモートコントローラ）
３０Ｂ  温水器用リモートコントローラ（台所リモートコントローラ）
４０  通信周波数検出部
５０  温水器
【図１】
2010010779.tif 000003
【図２】
2010010779.tif 000004